【手続補正書】
【提出日】平成17年7月27日(2005.7.27)
【手続補正１】
【補正対象書類名】明細書
【補正対象項目名】発明の名称
【補正方法】変更
【補正の内容】
【発明の名称】情報処理システム、情報処理装置、およびプログラム
【手続補正２】
【補正対象書類名】明細書
【補正対象項目名】特許請求の範囲
【補正方法】変更
【補正の内容】
【特許請求の範囲】
【請求項１】
加盟店の情報を管理する第1の情報処理装置、ICカードの管理を代行する第２の情報処理装置、および、ICカードへの課金情報の記録、または読出しを行う第３の情報処理装置からなる情報処理システムにおいて、
前記第1の情報処理装置は、
前記加盟店の加盟店IDと、前記ICカードを利用した課金処理に関するサービスを識別するサービスメニューIDを前記第２の情報処理装置に送信する第１の送信手段と、
前記第２の情報処理装置から送信されてくる、前記第1の送信手段により送信したサービスメニューIDに応じて前記ICカードに実行された処理結果を受信する第1の受信手段と
を備え、
前記第２の情報処理装置は、
前記第1の情報処理装置から送信されてくる前記加盟店IDと前記サービスメニューIDを受信する第２の受信手段と、
契約した加盟店の加盟店IDを記憶する記憶手段と、
前記記憶手段に記憶されている加盟店IDと、前記第２の受信手段により受信された前記加盟店IDとを比較する比較手段と、
前記比較手段の比較結果に応じて、前記サービスメニューIDに対応した、ICカードへの課金情報の記録、または、読出しを要求する記録読出コマンドを前記第３の情報処理装置に送信する第２の送信手段と、
前記第３の情報処理装置から送信されてくる、前記記録読出コマンドに応じてICカードに実行された処理結果を受信する第３の受信手段と、
前記ICカードに実行された処理結果を、前記第１の情報処理装置に送信する第３の送信手段と
を備え、
前記第３の情報処理装置は、
前記第２の情報処理装置より送信されてくる前記記録読出コマンドを受信する第４の受信手段と、
前記第４の受信手段により受信された前記記録読出コマンドに対応した前記ICカードへの課金情報の記録、または、読出しを実行する記録読出手段と、
前記記録読出手段により前記ICカードに実行された処理結果を前記第２の情報処理装置に送信する第４の送信手段と
を備える
ことを特徴とする情報処理システム。
【請求項２】
前記サービスメニューIDは、オーソリゼーション、本人認証アシスト、カード有効性チェック、会員ID・会員種別チェック、電子クーポン・ポイント管理、購入履歴管理、または、電子チケット・入場券管理を識別するIDを含む
ことを特徴とする請求項１に記載の情報処理システム。
【請求項３】
加盟店の情報を管理する第1の情報処理装置、ICカードの管理を代行する第２の情報処理装置、および、ICカードへの課金情報の記録、または読出しを行う第３の情報処理装置からなる情報処理システムを制御するコンピュータのうち、
前記第1の情報処理装置を制御するコンピュータに、
前記加盟店の加盟店IDと、前記ICカードを利用した課金処理に関するサービスを識別するサービスメニューIDの前記第２の情報処理装置への送信を制御する第１の送信制御ステップと、
前記第２の情報処理装置から送信されてくる、前記第1の送信制御ステップの処理で送信が制御されたサービスメニューIDに応じて前記ICカードへの実行が制御された処理結果の受信を制御する第1の受信制御ステップと
を実行させ、
前記第２の情報処理装置を制御するコンピュータに、
前記第1の情報処理装置から送信されてくる前記加盟店IDと前記サービスメニューIDの受信を制御する第２の受信制御ステップと、
契約した加盟店の加盟店IDの記憶を制御する記憶制御ステップと、
前記記憶制御ステップの処理で記憶が制御されている加盟店IDと、前記第２の受信制御ステップの処理で受信が制御された前記加盟店IDとの比較を制御する比較制御ステップと、
前記比較制御ステップの処理での比較結果に応じて、前記サービスメニューIDに対応した、ICカードへの課金情報の記録、または、読出しを要求する記録読出コマンドの前記第３の情報処理装置への送信を制御する第２の送信制御ステップと、
前記第３の情報処理装置から送信されてくる、前記記録読出コマンドに応じてICカードに実行された処理結果の受信を制御する第３の受信制御ステップと、
前記ICカードに実行された処理結果の、前記第１の情報処理装置への送信を
制御する第３の送信制御ステップと
を実行させ、
前記第３の情報処理装置を制御するコンピュータに、
前記第２の情報処理装置より送信されてくる前記記録読出コマンドの受信を制御する第４の受信制御ステップと、
前記第４の受信制御ステップの処理で受信が制御された前記記録読出コマンドに対応した前記ICカードへの課金情報の記録、または、読出しの実行を制御する記録読出制御ステップと、
前記記録読出制御ステップの処理で前記ICカードへの実行が制御された処理結果の前記第２の情報処理装置への送信を制御する第４の送信制御ステップと
を実行させる
ことを特徴とするプログラム。
【請求項４】
第1の他の情報処理装置から送信されてくる加盟店IDとサービスメニューIDを受信する第１の受信手段と、
契約した加盟店の加盟店IDを記憶する記憶手段と、
前記記憶手段に記憶されている加盟店IDと、前記第１の受信手段により受信された前記加盟店IDとを比較する比較手段と、
前記比較手段の比較結果に応じて、前記サービスメニューIDに対応した、ICカードへの課金情報の記録、または、読出しを要求する記録読出コマンドを第２の他の情報処理装置に送信する第１の送信手段と、
前記第２の他の情報処理装置から送信されてくる、前記記録読出コマンドに応じてICカードに実行された処理結果を受信する第２の受信手段と、
前記ICカードに実行された処理結果を、前記第１の他の情報処理装置に送信する第２の送信手段と
を備えることを特徴とする情報処理装置。
【請求項５】
前記サービスメニューIDは、オーソリゼーション、本人認証アシスト、カード有効性チェック、会員ID・会員種別チェック、電子クーポン・ポイント管理、購入履歴管理、または、電子チケット・入場券管理を識別するIDを含む
ことを特徴とする請求項４に記載の情報処理装置。
【請求項６】
第1の他の情報処理装置から送信されてくる加盟店IDとサービスメニューIDの受信を制御する第１の受信制御ステップと、
契約した加盟店の加盟店IDの記憶を制御する記憶制御ステップと、
前記記憶制御ステップの処理で記憶が制御されている加盟店IDと、前記第１の受信制御ステップの処理で受信が制御された前記加盟店IDとの比較を制御する比較制御ステップと、
前記比較制御ステップの処理での比較結果に応じて、前記サービスメニューIDに対応した、ICカードへの課金情報の記録、または、読出しを要求する記録読出コマンドの第２の他の情報処理装置への送信を制御する第１の送信制御ステップと、
前記第２の他の情報処理装置から送信されてくる、前記記録読出コマンドに応じてICカードに実行された処理結果の受信を制御する第２の受信制御ステップと、
前記ICカードに実行された処理結果の、前記第１の他の情報処理装置への送信を制御する第２の送信制御ステップと
をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理システム、情報処理装置、およびプログラムに関し、特に、加盟店からの要求に応じて、端末装置に対してICカードへの課金情報の記録、または、読出しを代行できるようにした情報処理システム、情報処理装置、およびプログラムに関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
本発明の情報処理システム、および第１のプログラムにおいては、第1の情報処理装置により、加盟店の加盟店IDと、ICカードを利用した課金処理に関するサービスを識別するサービスメニューIDが第２の情報処理装置に送信され、第２の情報処理装置から送信されてくる、サービスメニューIDに応じたICカードに実行された処理結果が受信され、第２の情報処理装置により、第1の情報処理装置から送信されてくる加盟店IDとサービスメニューIDが受信され、契約した加盟店の加盟店IDが記憶され、記憶されている加盟店IDと、受信された加盟店IDとが比較され、比較結果に応じて、サービスメニューIDに対応した、ICカードへの課金情報の記録、または、読出しを要求する記録読出コマンドが第３の情報処理装置に送信され、第３の情報処理装置から送信されてくる、記録読出コマンドに応じてICカードに実行された処理結果が受信され、ICカードに実行された処理結果が、第１の情報処理装置に送信され、第３の情報処理装置により、第２の情報処理装置より送信されてくる記録読出コマンドが受信され、受信された記録読出コマンドに対応したICカードへの課金情報の記録、または、読出しが実行され、ICカードに実行された処理結果が第２の情報処理装置に送信される。
【手続補正９】
【補正対象書類名】明細書
【補正対象項目名】００１７
【補正方法】変更
【補正の内容】
【００１７】
本発明の情報処理装置、および第２のプログラムにおいては、第1の他の情報処理装置から送信されてくる加盟店IDとサービスメニューIDが受信され、契約した加盟店の加盟店IDが記憶され、記憶されている加盟店IDと、受信された加盟店IDとが比較され、比較手段の比較結果に応じて、サービスメニューIDに対応した、ICカードへの課金情報の記録、または、読出しを要求する記録読出コマンドが第２の他の情報処理装置に送信され、第２の他の情報処理装置から送信されてくる、記録読出コマンドに応じてICカードに実行された処理結果が受信され、ICカードに実行された処理結果が、第１の他の情報処理装置に送信される。